(57)【要約】【課題】屋外に設置されるテントに設けられる太陽電池モジュールによる発電を降雪があっても可能にして、発電効率を向上させ、費用対効果を高くすることのできる太陽電池モジュールの取付け構造を提供すること。【構成】複数の太陽電池モジュール３と、これらの太陽電池モジュール３の各表面を同一方向に向けて並列に支承する支承手段２、６とを有し、支承手段２、６は、太陽電池モジュール３の表面を上向きにして支承する上向き支承状態と、太陽電池モジュール３の表面を側面向きにして支承する側面向き支承状態とを移動自在に支承するように形成されているとともに、太陽電池モジュール３をテント１の上部領域と側面領域との間を移動自在にして設置していることを特徴とする。【選択図】  図１
2013175678.tif 000002
【特許請求の範囲】
【請求項１】
複数の太陽電池モジュールと、
これらの太陽電池モジュールの各表面を同一方向に向けて並列に支承する支承手段とを有し、
前記支承手段は、前記太陽電池モジュールの表面を上向きにして支承する上向き支承状態と、前記太陽電池モジュールの表面を側面向きにして支承する側面向き支承状態とを移動自在に支承するように形成されているとともに、前記太陽電池モジュールをテントの上部領域と側面領域との間を移動自在にして設置している
ことを特徴とする太陽電池モジュールの取付け構造。
【請求項２】
前記テントは降雪地域に設置されていることを特徴とする請求項１に記載の太陽電池モジュールの取付け構造。
【発明の詳細な説明】
【技術分野】
【０００１】
本発明は、太陽電池モジュールの取付け構造に係り、特に、降雪地域に設置されるテントに合わせて設けるのに好適な太陽電池モジュールの取付け構造に関する。
【背景技術】
【０００２】
近年、太陽光エネルギーはＣＯ２の排出を抑制する次世代のクリーンなエネルギーとして注目されており、一般住宅（集合住宅を含む）においても、例えば特許文献１や特許文献２に示すような、太陽光エネルギーを直接電気エネルギーに変換するための装置（以下、太陽電池モジュール）を設置した軒数が年々増加する傾向にある。
【先行技術文献】
【特許文献】
【０００３】
【特許文献１】特開平８−３２１６３０号公報
【特許文献２】特開２００１−３３２７５２号公報
【発明の概要】
【発明が解決しようとする課題】
【０００４】
前記特許文献１、２に開示されている太陽電池モジュールを屋外に設置されるテントに適用する場合には、発電効率を向上するためにテントの屋根部分に配置することとなる。
【０００５】
しかしながら、降雪地域においては、冬期には太陽電池モジュールの表面が積雪によって覆われてしまい発電することが不可能である。また、積雪から太陽電池モジュールを守るために、冬期を迎える前に太陽電池モジュールを特殊な剛性の高いカバーによって覆う必要がある。
【０００６】
従って、降雪地域における太陽電池モジュールを設置することに関する費用対効果が悪いという不都合がある。
【０００７】
本発明は、これらの問題に鑑みてなされたものであり、屋外に設置されるテントに設けられる太陽電池モジュールによる発電を降雪があっても可能にして、発電効率を向上させ、費用対効果を高くすることのできる太陽電池モジュールの取付け構造を提供することを目的とする。
【課題を解決するための手段】
【０００８】
前記課題を解決するために、本発明の第１の態様の太陽電池モジュールの取付け構造は、複数の太陽電池モジュールと、これらの太陽電池モジュールの各表面を同一方向に向けて並列に支承する支承手段とを有し、前記支承手段は、前記太陽電池モジュールの表面を上向きにして支承する上向き支承状態と、前記太陽電池モジュールの表面を側面向きにして支承する側面向き支承状態とを移動自在に支承するとともに、前記太陽電池モジュールをテントの上部領域と側面領域との間を移動自在にして設置するように形成されていることを特徴とする。
【０００９】
このような構成の本発明によれば、テントの上部領域において太陽電池モジュールの表面を上向きにして支承する上向き支承状態に保持して、日中に正常に発電することができる。また、テントの側面領域に太陽電池モジュールを移動させてその表面を側面向きにして支承する側面向き支承状態に保持して、例えば降雪による太陽電池モジュールの表面に対する積雪を防止することができ、更に地表等に積雪した積雪面で反射した太陽光を受けて発電することができる。これにより本発明によれば、テントに設置された太陽電池モジュールによって春夏秋冬の全季節において太陽電池モジュールをテントの上部領域と側面領域との適正な位置に設置して発電することができる。本発明においては、複数の太陽電池モジュールは、複数個を並列方向に連続形成してあたかも１個の太陽電池モジュールとして形成したものや可撓性を備えた１枚のシート状に形成したものを含むものである。
【００１０】
また、本発明の第２の態様の太陽電池モジュールの取付け構造は、第１の態様において、テントは降雪地域に設置されていることを特徴とする。
【００１１】
このような構成の本発明によれば、降雪地域に設置された太陽電池モジュールによっても春夏秋冬の全季節において太陽電池モジュールをテントの上部領域と側面領域との適正な位置に設置して発電することができる。
【発明の効果】
【００１２】
本発明によれば、テントの外側に設置した太陽電池モジュールによる発電を降雪があっても可能にして、発電効率を向上させ、費用対効果を高くすることのできるという優れた作用効果を発揮することができる。
【図面の簡単な説明】
【００１３】
【図１】本発明の第１実施形態において、テントに太陽電池モジュールを設置した例を示す斜視説明図
【図２】図１における矢視断面図
【図３】図１における支承手段を示す要部の斜視説明図
【図４】本発明の第２実施形態の図１に対応する斜視説明図
【発明を実施するための形態】
【００１４】
以下、本発明の実施形態を図面により説明する。
【００１５】
図１から図３は本発明の第１実施形態を示す。
【００１６】
本実施形態は、鉛直断面が略半円形のドーム状のテント１の頂部１ｔおよび側部１ｓに沿って太陽電池モジュール３を配設する取付け構造である。
【００１７】
本実施形態においては、テント１の上部領域となる頂部１ｔおよび側面領域となる側部１ｓに沿って３本の平行な支承レール２、２を配設し、隣接する２本の支承レール２、２間に複数（本実施形態においては５個）の太陽電池モジュール３、３を掛け渡して支承している。これらの支承レール２、２は太陽電池モジュール３を支承する支承手段である。各支承レール２は、図３に示すように、断面Ｈ型のアルミ引き出し材等からなるレール基部２ａをテント１の頂部１ｔから側部１ｓに亘る外側形状円弧状に合わせて湾曲形成して、頂部１ｔと側部１ｓの低部の脇に埋設された土台４部分に掛け渡して設置されている。レール基部２ａの表面には長手方向にレール溝２ｂが形成されている。そして、各太陽電池モジュール３、３は、図３に示すように、両端部より突設された支承用金具５のピン等の滑動部５ａを両側の支承レール２のレール溝２ｂに係合させることにより各表面を同一方向の太陽方向に向けて並列に支承されているとともに、支承レール２、２、の長手方向に移動自在に支承されている。これにより支承手段としての一対の支承レール２、２、は、５個の太陽電池モジュール３、３の表面をテント１の頂部１ｔにおいて上向きにして支承する上向き支承状態と、太陽電池モジュール３、３の表面を側部１ｓの部分において側面向きにして支承する側面向き支承状態とを移動自在に支承することとなる。各太陽電池モジュール３は公知の構成とし、例えば、太陽の光エネルギーを直接電気エネルギーに変換する、シリコンでできた１０ｃｍから１５ｃｍ角の最小単位である太陽電池セルを数十枚、耐風、耐候性のある薄い長方形の容器に収め、直列に電気的に接続して所要の電圧（発電量）を得るように構成されているものを例示することができる。その他、色素増感太陽電池にも適用できる。また、太陽電池モジュール３、３を支承レール２、２、の所定位置に固定するための公知の固定手段（図示せず）を配設して、太陽電池モジュール３、３を強固に固定支持させるようにするとよい。また、各太陽電池モジュール３に対する電気系統の配線等については、上向き支承状態と側面向き支承状態とのそれぞれの位置において別個に配設しておくと、太陽電池モジュール２の移動の前後における接続作業が容易になるので好ましい。
【００１８】
次に、本実施形態の作用を説明する。
【００１９】
まず、降雪期間以外においては、図１および図２の実線に示すように、太陽電池モジュール３、３の表面をテント１の頂部１ｔ部分において上向きにして支承する上向き支承状態に固定する。この上向き支承状態おいては、太陽電池モジュール３、３は日中に太陽光を受けて正常に発電することができる。
【００２０】
降雪期間においては、太陽電池モジュール３、３を上向き支承状態から支承レール２、２、を利用して図２の鎖線に示すように側部１ｓ部分に移動させて表面を側面向きにして支承する側面向き支承状態に固定させる。この側面向き支承状態おいては、降雪による太陽電池モジュールの表面に対する積雪を防止することができる。更に、地表等に積雪した積雪面で反射した太陽光を受けて発電することができる。更に、このようにして太陽電池モジュール２を積雪箇所から退避させることにより、モジュール表面に対する積雪によって付加される長期に亘る重量負荷に伴う劣化を確実に防止することができる。
【００２１】
このように本実施形態によれば、テント１に設置された太陽電池モジュール３、３によって春夏秋冬の全季節において太陽電池モジュール３、３をテント１の上部領域と側面領域との適正な位置に設置して発電することができ、発電効率を大きく向上させて、費用対効果も高くすることができる。
【００２２】
図４は本発明の第２実施形態を示している。
【００２３】
本実施形態においては、テント１に対して太陽電池モジュール３、３を仮設する場合を示している。
【００２４】
本実施形態におけるテント１は第１実施形態と同様に形成されている。
【００２５】
本実施形態においては、支承手段として前記実施形態の支承レール２に代えて支承ベルト体６をテント１の頂部１ｔから側部１ｓに亘る外面に載置させ、支承ベルト体６の一端である頂部をテント１の頂部１ｔに固定し、支承ベルト体６の他端部を展張ロープ７をもってテント１の脇に打設された固定杭８に展張させることによって設置されている。そして、各太陽電池モジュール３、３は支承ベルト体６の上面を公知のスライダ等の移動手段によって長手方向に移動自在に支承されている。これにより支承手段としての支承ベルト体６は、５個の太陽電池モジュール３、３の表面をテント１の頂部１ｔにおいて上向きにして支承する上向き支承状態と、太陽電池モジュール３、３の表面を側部１ｓの部分において側面向きにして支承する側面向き支承状態とを移動自在に支承することとなる。そのほかの構成は第１実施形態と同様に形成されている。
【００２６】
次に、本実施形態の作用を説明する。
【００２７】
まず、降雪期間以外においては、図４の実線に示すように、太陽電池モジュール３、３の表面をテント１の頂部１ｔ部分において上向きにして支承する上向き支承状態に固定する。この上向き支承状態おいては、太陽電池モジュール３、３は日中に太陽光を受けて正常に発電することができる。
【００２８】
降雪期間においては、太陽電池モジュール３、３を上向き支承状態から支承ベルト体６利用して図４の鎖線に示すように側部１ｓ部分に移動させて表面を側面向きにして支承する側面向き支承状態に固定させる。この側面向き支承状態おいては、降雪による太陽電池モジュールの表面に対する積雪を防止することができる。更に、地表等に積雪した積雪面で反射した太陽光を受けて発電することができる。更に、このようにして太陽電池モジュール２を積雪箇所から退避させることにより、モジュール表面に対する積雪によって付加される長期に亘る重量負荷に伴う劣化を確実に防止することができる。
【００２９】
このように本実施形態によれば、テント１に設置された太陽電池モジュール３、３によって春夏秋冬の全季節において太陽電池モジュール３、３をテント１の上部領域と側面領域との適正な位置に設置して発電することができ、発電効率を大きく向上させて、費用対効果も高くすることができる。
【００３０】
なお、本発明は前記実施の形態のみに限定されるものではなく、必要に応じて変更することができる。
【００３１】
例えば、支承手段としては第１実施形態に記載した１個の太陽電池モジュール３を支承するための一対の支承レール２、２、に代えて、１本の支承レールとしたり、３本以上の支承レールとすることもできる。
【００３２】
また、本発明は、前記各実施形態に示したものと異なる構成のテントに対しても各実施形態と同様にして適用することができる。
【００３３】
また、本発明は、降雪地域を航行する船舶に設置されているテントに対しても前記各実施形態と同様にして適用することができる。
【符号の説明】
【００３４】
１  テント
１ｓ  側部（側面領域）
１ｔ  頂部（上部領域）
２  支承レール
２ｂ  レール溝
３  太陽電池モジュール
５  支承用金具
６  支承ベルト体
【図１】
2013175678.tif 000003
【図２】
2013175678.tif 000004
【図３】
2013175678.tif 000005
【図４】
2013175678.tif 000006